Podtech/llm-jp-corpus-v4-ja_patent huggingface dataset:
【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
プロセッサを具備する情報処理装置のプログラムであって、
前記プロセッサを、
オブジェクトが配置された現実空間を撮像する第１撮像部の、
前記現実空間における位置及び姿勢の少なくとも一方を特定する第１特定部と、
前記第１撮像部による撮像結果に基づく第１画像を表示部に表示させ、
前記オブジェクトに対応する第２画像を、
前記表示部のうち、前記第１特定部による特定結果と前記第１撮像部が取得した深度情報に基づいて定められた位置に表示させる表示制御部と、
して機能させる、
ことを特徴とする情報処理装置のプログラム。
【請求項２】
前記第１特定部は、
前記第１撮像部による撮像結果に基づいて、
前記第１撮像部の前記現実空間における位置及び姿勢の少なくとも一方を特定する、
ことを特徴とする、請求項１に記載の情報処理装置のプログラム。
【請求項３】
前記第１画像は、
前記現実空間内のユーザを表す第３画像を含み、
前記表示制御部は、
前記表示部において、
前記第２画像の少なくとも一部と前記第３画像の少なくとも一部とが重なる場合に、
前記第１特定部による特定結果に基づいて、
前記第２画像の少なくとも一部、または、前記第３画像の少なくとも一部のうち、
何れか一方を、非表示とする、
ことを特徴とする、請求項１または２に記載の情報処理装置のプログラム。
【請求項４】
前記第１画像は、
前記現実空間内のユーザを表す第３画像を含み、
前記表示制御部は、
前記第１特定部による特定結果と前記第１撮像部が取得した深度情報に基づいて、
前記表示部における、
前記第２画像と前記第３画像との相対的な位置関係を決定し、
当該決定の結果に基づいて、
前記第２画像及び前記第３画像を前記表示部に表示させる、
ことを特徴とする、請求項１乃至３のうち何れか１項に記載の情報処理装置のプログラ
ム。
【請求項５】
前記第１画像は、
前記現実空間内のユーザを表す第３画像と、
前記現実空間のうち前記ユーザの背景を表す第４画像と、を含み、
前記表示制御部は、
前記第１特定部による特定結果と前記第１撮像部が取得した深度情報に基づいて、
前記表示部における、
前記第２画像と前記第３画像と前記第４画像との相対的な位置関係を決定し、
当該決定の結果に基づいて、
前記第２画像、前記第３画像、及び、前記第４画像を、前記表示部に表示させる、
ことを特徴とする、請求項１乃至４のうち何れか１項に記載の情報処理装置のプログラム。
【請求項６】
前記プロセッサを、
前記オブジェクトを撮像する第２撮像部による撮像結果に基づいて、
前記オブジェクトの種類を特定する第２特定部、
として更に機能させ、
前記第２画像は、
前記第２特定部の特定したオブジェクトの種類に応じた画像である、
ことを特徴とする、請求項１乃至５のうち何れか１項に記載の情報処理装置のプログラム。
【請求項７】
前記第１画像は、
前記現実空間内のユーザを表す第３画像を含み、
前記第２画像は、
前記オブジェクトに対応するキャラクタを表す画像であり、
前記表示制御部は、
前記表示部により表示される表示空間において、
前記第２画像として表される前記キャラクタと、
前記第３画像として表される前記ユーザとが、
所定の位置関係を有するように、
前記表示部に対して、前記第２画像及び前記第３画像を表示させる、
ことを特徴とする、請求項１乃至６のうち何れか１項に記載の情報処理装置のプログラム。
【請求項８】
前記第１画像は、
前記現実空間内のユーザを表す第３画像と、
前記現実空間のうち前記ユーザの背景を表す第４画像と、を含み、
前記第２画像は、
前記オブジェクトに対応するキャラクタを表す画像であり、
前記表示制御部は、
前記表示部により表示される表示空間において、
前記第２画像として表される前記キャラクタが、
前記第３画像として表される前記ユーザと、
前記第４画像として表される前記背景と、の間に位置するように、
前記表示部に対して、前記第２画像、前記第３画像、及び、前記第４画像を表示させる、
ことを特徴とする、請求項１乃至７のうち何れか１項に記載の情報処理装置のプログラム。
【請求項９】
前記第１画像は、
前記現実空間内のユーザを表す第３画像を含み、
前記第２画像は、
前記オブジェクトに対応するキャラクタを表す画像であり、
前記表示制御部は、
前記ユーザが所定の動作を実行した場合に、
前記表示部により表示される表示空間において、
前記第２画像として表される前記キャラクタと、
前記第３画像として表される前記ユーザとの、
相対的な位置関係が変化するように、
前記表示部に対して、前記第２画像及び前記第３画像を表示させる、
ことを特徴とする、請求項１乃至８のうち何れか１項に記載の情報処理装置のプログラム。
【請求項１０】
オブジェクトが配置された現実空間を撮像する第１撮像部の、
前記現実空間における位置及び姿勢の少なくとも一方を特定する第１特定部と、
前記第１撮像部による撮像結果に基づく第１画像を表示部に表示させ、
前記オブジェクトに対応する第２画像を、
前記表示部のうち、前記第１特定部による特定結果と前記第１撮像部が取得した深度情報に基づいて定められた位置に表示させる表示制御部と、
を備える、
ことを特徴とする情報処理装置。
【請求項１１】
オブジェクトが配置された現実空間を撮像する第１撮像部と、
表示部と、
情報処理装置と、
を備える情報処理システムであって、
前記情報処理装置は、
前記第１撮像部の、
前記現実空間における位置及び姿勢の少なくとも一方を特定する第１特定部と、
前記第１撮像部による撮像結果に基づく第１画像を前記表示部に表示させ、
前記オブジェクトに対応する第２画像を、
前記表示部のうち、前記第１特定部による特定結果と前記第１撮像部が取得した深度情報に基づいて定められた位置に表示させる表示制御部と、
を備える、
ことを特徴とする情報処理システム。
【請求項１２】
オブジェクトが配置された現実空間を撮像する第１撮像部の、
前記現実空間における位置及び姿勢の少なくとも一方を特定し、
前記第１撮像部による撮像結果に基づく第１画像を表示部に表示させ、
前記オブジェクトに対応する第２画像を、
前記表示部のうち、前記特定の結果と深度情報に基づいて定められた位置に、表示させる、
ことを特徴とする表示方法。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
第１レンズユニットを保持している第１鏡筒と、
最終レンズユニットを保持している固定筒と、
アクチュエーターで駆動するフォーカスレンズ群と、
前記第１鏡筒および前記固定筒の光軸を中心とする回転方向の位置を決定する位置決め機構と、を有し、
前記第１鏡筒および前記固定筒は、直接連結されており、
前記アクチュエーターおよび前記フォーカスレンズ群は、前記第１鏡筒および前記固定筒の内部に内包されていることを特徴とするレンズ装置。
【請求項２】
前記第１鏡筒および前記固定筒は、ビスで止められていることを特徴とする請求項１に記載のレンズ装置。
【請求項３】
前記第１鏡筒および前記固定筒の連結する位置は、光軸方向において、前記フォーカスレンズ群の最も像側の位置より物体側であることを特徴とする請求項１または２に記載のレンズ装置。
【請求項４】
前記第１鏡筒および前記固定筒の連結する位置は、光軸方向において、前記フォーカスレンズ群の最も物体側の位置より物体側であることを特徴とする請求項１から３のいずれか１項に記載のレンズ装置。
【請求項５】
前記アクチュエーターおよび前記フォーカスレンズ群を保持する保持筒を更に有し、
前記保持筒は、前記第１鏡筒に連結されていることを特徴とする請求項１から４のいずれか１項に記載のレンズ装置。
【請求項６】
前記保持筒は、前記フォーカスレンズ群の像側に位置するレンズ群を保持することを特徴とする請求項５に記載のレンズ装置。
【請求項７】
前記保持筒は、前記フォーカスレンズ群を直進案内する案内筒であり、円環型圧電アクチュエーターおよび前記円環型圧電アクチュエーターによって回転するカム環を保持することを特徴とする請求項５または６に記載のレンズ装置。
【請求項８】
前記第１鏡筒は、金属鏡筒であることを特徴とする請求項１から７のいずれか１項に記載のレンズ装置。
【請求項９】
前記固定筒は、金属鏡筒であることを特徴とする請求項１から８のいずれか１項に記載のレンズ装置。
【請求項１０】
前記固定筒の外周を覆うように、前記固定筒に固定されている外装環を更に有し、
前記外装環は、前記第１鏡筒および前記固定筒の連結部の外周で前記第１鏡筒と嵌合していることを特徴とする請求項１から９のいずれか１項に記載のレンズ装置。
【請求項１１】
前記第１鏡筒と前記外装環との径方向の距離は、前記固定筒と前記外装環との径方向の距離に比べて小さいことを特徴とする請求項１０に記載のレンズ装置。
【請求項１２】
前記最終レンズユニットの像側に設けられたフィルターユニットを更に有することを特徴とする請求項１から１１のいずれか１項に記載のレンズ装置。
【請求項１３】
前記第１レンズユニットは、光軸方向において固定されていることを特徴とする請求項１から１２のいずれか１項に記載のレンズ装置。
【請求項１４】
請求項１から１３のいずれか１項に記載のレンズ装置と、
前記レンズ装置により結像された被写体像を光電変換して電気信号を出力する撮像素子と、を有することを特徴とする撮像装置。
【手続補正２】
【補正対象書類名】明細書
【補正対象項目名】００１２
【補正方法】変更
【補正の内容】
【００１２】
レンズ鏡筒１０１は、１群レンズ（第１レンズユニット）４０１ａ、絞りユニット４０５、２群レンズ（第２レンズユニット、フォーカスレンズ群、フォーカスレンズユニット）４０４ａ、３群レンズ（第３レンズユニット）４１０ａ、４群レンズ（第４レンズユニット）４１１ａおよび５群（第５レンズユニット、最終レンズユニット）レンズ４１２ａを有する。各群レンズは、後述する鏡筒に保持されている。また、レンズ鏡筒１０１は、ジャイロセンサ１０６、レンズ側メインＣＰＵ１０７、像ぶれ補正駆動源１０８、フォーカスレンズ駆動源１０９および絞り駆動源１１０を有する。
【手続補正３】
【補正対象書類名】明細書
【補正対象項目名】００１３
【補正方法】変更
【補正の内容】
【００１３】
レンズ側メインＣＰＵ１０７は、レンズ鏡筒１０１全体の駆動制御や計算を行う。レンズ側メインＣＰＵ１０７は、フォーカスレンズ駆動源１０９に指示を送り、２群レンズ４０４ａの駆動を行う。また、レンズ側メインＣＰＵ１０７は、絞り駆動源１１０に指示を送り、絞りユニット４０５の駆動を行う。
【手続補正４】
【補正対象書類名】明細書
【補正対象項目名】００２５
【補正方法】変更
【補正の内容】
【００２５】
次に、結合した状態の１群ユニット４４２および案内筒ユニット４４３と、固定筒ユニット４４４との結合方法について説明する。１群鏡筒４０１には、位置決めピン４０１ｃが取り付けられている。また、１群鏡筒４０１の外周には、嵌合面４０１ｅが設けられている。固定筒４０９には、位置決め穴４０９ｃが設けられている。また、固定筒４０９の内周には、嵌合面４０９ｅが設けられている。嵌合面４０１ｅが嵌合面４０９ｅに嵌合することで、１群ユニット４４２および固定筒ユニット４４４の光軸に直交する方向の位置が決まる。また、位置決めピン４０１ｃが位置決め穴４０９ｃに嵌合することで、１群ユニット４４２および固定筒ユニット４４４の光軸を中心とする回転方向の位置が決まる。すなわち、位置決めピン４０１ｃおよび位置決め穴４０９ｃは、１群ユニット４４２および固定筒ユニット４４４の光軸を中心とする回転方向の位置を決定する位置決め機構として機能する。１群ユニット４４２および固定筒ユニット４４４を互いに嵌め込んだ状態でビス４４９を１群鏡筒４０１に設けられたビス穴４０１ｈに締めこむことで、１群ユニット４４２および固定筒ユニット４４４は結合される。以上により、光学系を保持するレンズ鏡筒１０１が完成する。
【手続補正５】
【補正対象書類名】図面
【補正対象項目名】図１
【補正方法】変更
【補正の内容】
【図１】
2020024292.tif 000001
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
異なる配列を有する一群の標的核酸分子の比のプロットを確立するための方法であって、前記方法が、
前記一群の標的核酸分子のそれぞれの標的核酸分子を定量化するための複数のハイブリダイゼーション反応を実施して、電界効果トランジスタまたは表面プラズモン共鳴装置により検出される複数の定量的シグナルを生成するステップと、
任意の２つの定量的シグナル間の複数の比を生成するステップと、
前記一群の標的核酸分子の前記比のプロットを構築するために、前記比を併合するステップと
を含み、前記一群の標的核酸分子の比のプロットが、前記一群中のそれぞれの標的核酸分子の含量または濃度の比の組合せを表す、方法。
【請求項２】
前記生成するステップが、それぞれの２つの定量的シグナル間の複数の比を生成することを含む、請求項１に記載の方法。
【請求項３】
前記プロットが、３つの軸を含み、第１の軸が、前記標的核酸分子で構成され、第２の軸が、前記標的核酸分子で構成され、前記第１の軸における前記標的核酸分子の任意の定量的シグナルと前記第２の軸における前記標的核酸分子の任意の定量的シグナルとの間の比が、第３の軸の値である、請求項１に記載の方法。
【請求項４】
前記一群の標的核酸分子中の前記標的核酸分子の数がｎであり、相関させようとする比の数が［ｎ×（ｎ−１）／２］（式中、ｎは整数である）である、請求項１に記載の方法。
【請求項５】
前記標的核酸分子が、ＤＮＡ、ｃｆＤＮＡ、メチル化ＤＮＡ、ｍＲＮＡ、ｍｉＲＮＡ、ＬｎｃＲＮＡおよびリボソームＲＮＡからなる群より選択される、請求項１に記載の方法。
【請求項６】
前記一群の標的核酸分子が、少なくとも３つの標的核酸分子を含有する、請求項１に記載の方法。
【請求項７】
前記複数のハイブリダイゼーション反応が、同時に実施される、請求項１に記載の方法。
【請求項８】
前記標的核酸分子が、１つのチップまたはマイクロアレイ中に統合される、請求項１に記載の方法。
【請求項９】
前記複数の定量的シグナルが、電気的な変化、重量の変化、吸光度波長の変化、吸光度強度の変化、蛍光および蛍光強度の変化、ならびに屈折率の変化からなる群より選択される、請求項１に記載の方法。
【請求項１０】
前記電気的な変化が、電荷の変化、電流の変化、電気抵抗の変化、閾値電圧シフトの変化、電気伝導度の変化、電場の変化、電気容量の変化、電子の変化および電子空孔の変化からなる群より選択される、請求項９に記載の方法。
【請求項１１】
前記複数のハイブリダイゼーション反応が、固体表面に付着している認識性一本鎖オリゴヌクレオチド分子、または前記固体表面から所定の距離だけ間隔をあけている前記認識性一本鎖オリゴヌクレオチド分子を用いて実施される、請求項１に記載の方法。
【請求項１２】
前記固体表面が、前記電界効果トランジスタ（ＦＥＴ）の半導体に基づく電気的検知チップ、または前記表面プラズモン共鳴（ＳＰＲ）装置の金属表面である、請求項１１に記載の方法。
【請求項１３】
前記固体表面が、前記電気的な変化を検出するための前記電界効果トランジスタまたは前記表面プラズモン共鳴装置とカップリングされている、請求項１１に記載の方法。
【請求項１４】
前記認識性一本鎖オリゴヌクレオチド分子が、少なくとも１つの電気的に中性のヌクレオチドおよび少なくとも１つの負に荷電しているヌクレオチドを含む部分的に中性の一本鎖オリゴヌクレオチドである、請求項１１に記載の方法。
【請求項１５】
前記電気的に中性のヌクレオチドが、Ｃ１〜Ｃ６アルキル基により置換されているリン酸基を含む、請求項１４に記載の方法。
【請求項１６】
前記負に荷電しているヌクレオチドが、非置換のリン酸基を含む、請求項１４に記載の方法。
【請求項１７】
前記定量的シグナルの最も小さなシグナルと最も大きなシグナルとの間の差が、少なくとも２桁の大きさである、請求項１に記載の方法。
【請求項１８】
請求項１に記載の方法を用いて確立される、一群の標的核酸分子の比のプロット。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
レンズ面に反射防止構造体を備える光学素子であって、
前記反射防止構造体は、前記レンズ面へ設けた複数の微細柱状突起からなり、
前記微細柱状突起において前記レンズ面の接平面における断面を当該微細柱状突起の底面としたとき、前記レンズ面の縁端部に位置する微細柱状突起の底面が中心部に位置する微細柱状突起の底面よりも大きい、ことを特徴とする反射防止構造体付き光学素子。
【請求項２】
使用平均波長をλとしたとき、前記微細柱状突起は、レンズ中心部からレンズ縁端部に向かって底面径Ｄが式（３）に示す範囲で漸次大きくなる請求項１に記載の反射防止構造体付き光学素子。
【数３】
2020024243.tif 000001
【請求項３】
前記微細柱状突起は、ガラス転移点を有する光学素子基材と同一の材質である請求項１又は請求項２に記載の反射防止構造体付き光学素子。
【請求項４】
請求項１〜請求項３のいずれか一項に記載の反射防止構造体付き光学素子の製造に用いる金型製造方法であって、以下の工程１及び工程２を備えることを特徴とする金型製造方法
工程１：フォトリソグラフィ法を用いて、金型基材にフォトレジストを塗工し乾燥させ、外周側が大きくなるようにパターンを露光し、現像してエッチングパターンを形成する。
工程２：  エッチングパターンを形成した後に、金型基材の表面をドライエッチングすることにより、金型基材の表面に反射防止構造体付き光学素子の反射構造体を構成する微細柱状突起のレプリカパターンを形成した製造用金型を得る。
【請求項５】
請求項４に記載の金型製造方法で得られた製造用金型を用いることを特徴とする反射防止構造体付き光学素子の製造方法。
【請求項６】
請求項１〜請求項３のいずれか一項に記載の反射防止構造体付き光学素子を用いたことを特徴とする撮像装置。
【手続補正書】
【提出日】令和3年7月7日(2021.7.7)
【手続補正１】
【補正対象書類名】特許請求の範囲
【補正対象項目名】全文
【補正方法】変更
【補正の内容】
【特許請求の範囲】
【請求項１】
映像光を射出する映像素子と、
映像光の取出し位置に配置され、前記映像素子側に凸面を有する第１レンズと、
前記第１レンズよりも前記映像素子側に配置され、前記第１レンズの前記凸面に対応する凹面を有する第２レンズと、
前記凸面に沿って設けられるハーフミラーと、
前記第１レンズの光射出側に設けられ、光の偏光状態に応じて透過特性および反射特性が異なる透過反射選択部材と、
前記映像素子と前記第２レンズとの間に設けられ、前記映像素子からの映像光を前記第２レンズに導光する導光部と、を備える虚像表示装置。
【請求項２】
前記導光部は、前記映像素子を、前記第２レンズに接着させる接着部である、請求項１に記載の虚像表示装置。
【請求項３】
前記導光部は、前記映像素子を、前記第２レンズに接着させる接着剤の一部を逃がす接着剤逃げ部を有する、請求項１及び２のいずれか一項に記載の虚像表示装置。
【請求項４】
前記導光部の周囲を囲うように設けられる遮光部をさらに備える、請求項１〜３のいずれか一項に記載の虚像表示装置。
【請求項５】
前記第２レンズに対する前記映像素子の位置決めを行う映像素子位置決め部を備える、請求項１〜４のいずれか一項に記載の虚像表示装置。
【請求項６】
前記第２レンズは、前記映像素子を埋め込む埋込部を有する、請求項１〜５のいずれか一項に記載の虚像表示装置。
【請求項７】
前記映像素子は、主光線の傾斜角度に応じて光射出方向を偏向する偏向部材を有する、請求項１〜６のいずれか一項に記載の虚像表示装置。
【請求項８】
前記導光部の屈折率は、屈折率１．３以上である、請求項１〜７のいずれか一項に記載の虚像表示装置。
【請求項９】
前記第１レンズの前記凸面と前記第２レンズの前記凹面とは、球面である、請求項１〜８のいずれか一項に記載の虚像表示装置。
【請求項１０】
前記映像素子の画像表示領域のサイズは、前記第２レンズの光学面のサイズよりも小さい、請求項１〜９のいずれか一項に記載の虚像表示装置。
【請求項１１】
前記映像素子は、画像表示領域の一辺の長さを２．５インチ以下とするマイクロディスプレイである、請求項１０に記載の虚像表示装置。
【手続補正２】
【補正対象書類名】明細書
【補正対象項目名】０００５
【補正方法】変更
【補正の内容】
【０００５】
本発明の一態様の虚像表示装置は、映像光を射出する映像素子と、映像光の取出し位置に配置され、前記映像素子側に凸面を有する第１レンズと、前記第１レンズよりも前記映像素子側に配置され、前記第１レンズの前記凸面に対応する凹面を有する第２レンズと、前記凸面に沿って設けられるハーフミラーと、前記第１レンズの光射出側に設けられ、光の偏光状態に応じて透過特性および反射特性が異なる透過反射選択部材と、前記映像素子と前記第２レンズとの間に設けられ、前記映像素子からの映像光を前記第２レンズに導光する導光部と、を備える。
【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
光を出射する光源を有する光源装置と、
前記光源装置から出射される光を変調する光変調装置と、
前記光変調装置によって変調された光を投射する投射光学装置と、
前記光源から伝達された熱を放出する放熱部材と、
前記放熱部材に冷却気体を送風する送風装置と、を備え、
前記投射光学装置は、前記光源装置から出射された光の出射方向に沿う第１方向と交差する第２方向に沿って光が入射される位置に配置され、
前記送風装置は、回転軸を中心に回転し、回転方向に対する反対方向に湾曲した複数の羽根が設けられた羽根部材を有する遠心力ファンであり、
前記遠心力ファンは、前記回転軸が、前記第１方向及び前記第２方向の両方に垂直な第３方向に沿うように配置され、
前記放熱部材及び前記送風装置は、前記投射光学装置に対して前記第１方向とは反対方向に配置されていることを特徴とするプロジェクター。
【請求項２】
請求項１に記載のプロジェクターにおいて、
前記光源装置、前記光変調装置、前記投射光学装置、前記放熱部材及び前記送風装置を収容する外装筐体を備え、
前記外装筐体は、
前記送風装置によって吸引される前記冷却気体を前記外装筐体内に導入する導入口と、
前記放熱部材を流通した前記冷却気体を排出する排気口と、
前記投射光学装置から出射される光の投射方向に位置する第１面と、
前記第１面と交差して、前記第１方向とは反対方向に位置する第２面と、を有し、
前記導入口は、前記第１面に設けられ、
前記排気口は、前記第２面に設けられることを特徴とするプロジェクター。
【請求項３】
請求項２に記載のプロジェクターにおいて、
前記外装筐体は、前記排気口に位置し、前記排気口を通過する前記冷却気体の流通方向を前記第２方向側に調整する排気側ルーバーを有することを特徴とするプロジェクター。
【請求項４】
請求項２又は請求項３に記載のプロジェクターにおいて、
前記外装筐体は、前記導入口に位置し、前記導入口を通過する前記冷却気体の流通方向を前記第１方向とは反対方向側に調整する導入側ルーバーを有することを特徴とするプロジェクター。
【請求項５】
請求項１から請求項４のいずれか一項に記載のプロジェクターにおいて、
前記放熱部材は、
前記光源の熱が伝達される本体部と、
前記本体部からそれぞれ前記第２方向に延出し、前記第３方向に沿って所定間隔を隔てて配列された複数のフィンと、を有し、
前記送風装置は、前記複数のフィンに対して、前記第１方向とは反対方向及び前記第２方向とは反対方向のうち一方の方向に前記冷却気体を送出することを特徴とするプロジェクター。
【請求項６】
請求項１に記載のプロジェクターにおいて、
前記外装筐体は、
前記送風装置によって吸引される前記冷却気体を前記外装筐体内に導入する導入口と、前記放熱部材を流通した前記冷却気体を排出する排気口と、を有し、
前記遠心ファンの送出口は、前記送出口の開口した向きに前記外装筐体の前記排気口が位置し、
前記放熱部材は、前記遠心ファンの前記送出口と前記外装筐体の前記排気口との間に位置することを特徴とするプロジェクター。
【請求項７】
請求項６に記載のプロジェクターにおいて、
前記放熱部材は、複数のフィンを有することを特徴とするプロジェクター。
【請求項８】
請求項６又は請求項７に記載のプロジェクターにおいて、
前記光源の熱を前記放熱部材に伝達する受熱部材を備えることを特徴とするプロジェクター。
【請求項９】
請求項６から請求項８のいずれか一項に記載のプロジェクターにおいて、
前記遠心ファンの前記送出口に、前記放熱部材が配置されることを特徴とするプロジェクター。
【請求項１０】
請求項１から請求項５のいずれか一項に記載のプロジェクターにおいて、
電子部品に電力を供給する電源装置を備え、
前記電源装置は、前記投射光学装置と、前記放熱部材及び前記送風装置との間に配置されていることを特徴とするプロジェクター。
【請求項１１】
請求項１から請求項６のいずれか一項に記載のプロジェクターにおいて、
前記光源の熱を前記放熱部材に伝達する受熱部材を備え、
前記受熱部材は、
前記光源に接続される受熱面と、
前記放熱部材に接続される放熱面と、を有することを特徴とするプロジェクター。
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
流体試料の中の分析物の濃度を検出するための電気化学的試験センサであって、
上面、底面、および前記上面と前記底面との間に延びる周縁部を有する非導電性のベースと、
前記非導電性のベースの上に位置するトリガ電極、作用電極、および対向電極であって、前記トリガ電極が前記ベースの前記周縁部に隣接すると共に前記対向電極と電気的に並列に接続されており、且つ前記作用電極、および前記対向電極の上流に位置している、トリガ電極、作用電極、および対応電極と、
前記トリガ電極の少なくとも一部分の上に位置する保護層と、
前記作用電極の少なくとも表面上の反応層であって、前記作用電極に移送される電子を生成するように前記分析物と反応するための酵素を含む反応層と、
前記ベースの上に位置する蓋であって、前記蓋は、上面、底面、および前記上面と前記底面との間に延びる外縁部を有し、前記外縁部は、前記ベースの前記周縁部を越えて延びる、蓋とを備え、
不十分な流体試料が前記トリガ電極及び前記作用電極だけを覆うとき、前記トリガ電極は十分に満たされていないセンサを検出するための小さい電流パルスを供給するように構成されている電気化学的試験センサ。
【請求項２】
前記保護層は、前記流体試料と接触すると溶解できる、請求項１に記載の試験センサ。
【請求項３】
前記保護層はさらに、ぬれ性または加工性の向上のための界面活性剤またはレオロジー添加剤を備える、請求項２に記載の試験センサ。
【請求項４】
前記保護層は、ポリマー層から成る、請求項１に記載の試験センサ。
【請求項５】
前記ポリマー層は、カルボキシメチルセルロースまたはヒドロキシエチルセルロースからなる、請求項４に記載の試験センサ。
【請求項６】
前記ベースは、導電層を積層され、印刷され、コートされまたはスパッタされ、前記作用電極、前記トリガ電極、および前記対向電極の各々は、前記導電層からパターン化される、請求項１に記載の試験センサ。
【請求項７】
前記導電層は、金属層から成る、請求項６に記載の試験センサ。
【請求項８】
前記導電層は、炭素またはグラファイトから成る、請求項６に記載の試験センサ。
【請求項９】
前記ベースの上に位置するスペーサをさらに備える、請求項１に記載の試験センサ。
【請求項１０】
前記スペーサは、それを通って延びるチャンネルを有し、前記チャンネルは、前記作用電極および前記トリガ電極と位置合わせされる、請求項９に記載の試験センサ。
【請求項１１】
前記スペーサは、前記反応層と前記蓋との間に位置決めされる、請求項９に記載の試験センサ。
【請求項１２】
流体試料中の分析物の濃度を検出するための電気化学的試験センサを製造する方法において、
ベースの上に位置する導電層から複数の電極をパターン化するステップであって、前記複数の電極は、トリガ電極、作用電極、および対向電極からなり、前記トリガ電極は前記対向電極と電気的に並列に接続されると共に、前記作用電極、および前記対向電極の上流に位置する、ステップと、
前記トリガ電極の上に位置する保護層を堆積させるステップと、
前記作用電極の上に位置する反応層を堆積させるステップと、
前記ベースと蓋との間にスペーサを位置決めするステップと、
前記スペーサおよび前記ベースを通って延びる第１の開口を形成するステップと、
前記蓋に第２の開口を形成するステップであって、前記第１の開口および前記第２の開口は、２つの別個のステップで形成される、ステップと、
試験センサを切り取るステップとを含み、
不十分な流体試料が前記トリガ電極及び前記作用電極だけを覆うとき、前記トリガ電極は十分に満たされていないセンサを検出するための小さい電流パルスを供給するように構成されている方法。
【請求項１３】
前記第１の開口は、内側周縁部を有し、前記第２の開口は、内側周縁部を有し、前記第２の開口の前記内側周縁部の少なくとも一部分は、オーバーハングを形成するように、前記第１の開口の前記内側周縁部を越えて延びる、請求項１２に記載の方法。
【請求項１４】
保護層を設ける前記ステップは、ポリマー溶液を用いてポリマー層を設けるステップを含む、請求項１２に記載の方法。
【請求項１５】
前記ポリマー溶液は、０．２５％から１．０％の間の範囲の濃度を有する、請求項１４に記載の方法。
【請求項１６】
前記ポリマー溶液の前記濃度は、０．２５％である、請求項１４に記載の方法。
【請求項１７】
前記ポリマー溶液の前記濃度は、１．０％である、請求項１４に記載の方法。
【請求項１８】
ポリマー層を適用する前記ステップは、カルボキシメチルセルロースまたはヒドロキシエチルセルロースの層を適用するステップを含む、請求項１４に記載の方法。
【請求項１９】
パターン化する前記ステップは、電極パターンを形成するように、レーザーを用いて前記導電層の少なくとも一部分を通ってアブレーションするステップを含む、請求項１２に記載の方法。
【請求項２０】
前記ベースの上に位置する金、白金、またはパラジウム層を堆積させるステップをさらに含む、請求項１２に記載の方法。
【手続補正２】
【補正対象書類名】図面
【補正対象項目名】図１
【補正方法】変更
【補正の内容】
【図１】
2020024221.tif 000001
【手続補正３】
【補正対象書類名】図面
【補正対象項目名】図２
【補正方法】変更
【補正の内容】
【図２】
2020024221.tif 000002
【手続補正４】
【補正対象書類名】図面
【補正対象項目名】図３
【補正方法】変更
【補正の内容】
【図３】
2020024221.tif 000003
【手続補正５】
【補正対象書類名】図面
【補正対象項目名】図４Ｄ
【補正方法】変更
【補正の内容】
【図４Ｄ】
2020024221.tif 000004
【誤訳訂正書】
【提出日】令和3年10月5日(2021.10.5)
【誤訳訂正１】
【訂正対象書類名】明細書
【訂正対象項目名】０１１０
【訂正方法】変更
【訂正の内容】
【０１１０】
（１１）  前記ＰＣＢが、前記流体を前記流体孔に通すため、前記ＰＣＢと前記先端電極の内側表面との間の空間を画定するように、前記先端電極の内腔内に位置付けられている、実施態様１０に記載の装置。
（１２）  前記空間が、半径方向において０．３ｍｍ未満である、実施態様１１に記載の装置。
（１３）  前記微小電極のうちの少なくとも一部が、前記先端電極の遠位面に沿って位置する、実施態様１に記載の装置。
（１４）  前記先端電極の前記遠位面に沿って位置する、前記微小電極のうちの前記少なくとも一部が、前記先端電極の前記遠位面に対して斜めに配向されている、実施態様１３に記載の装置。
（１５）  前記微小電極のうちの少なくとも一部が、前記先端電極の円周面に沿って位置する、実施態様１に記載の装置。
【誤訳訂正２】
【訂正対象書類名】特許請求の範囲
【訂正対象項目名】請求項１１
【訂正方法】変更
【訂正の内容】
【請求項１１】
前記ＰＣＢが、前記流体を前記流体孔に通すため、前記ＰＣＢと前記先端電極の内側表面との間の空間を画定するように、前記先端電極の内腔内に位置付けられている、請求項１０に記載の装置。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
遊技に関する遊技設定を変更することが可能な遊技機であって、
遊技店に固定された支持部材に対し、前方から見て左側に設定される回動軸を中心として回動自在に支持された本体ユニットと、
前記本体ユニットの後側に設けられた部分であって、前記遊技設定を変更する際に操作される操作部と、
前記本体ユニットの後側に設けられた部分であって、現状の前記遊技設定を表示する表示部と、
を備え、
前記本体ユニットを後方から見て、
前記操作部および前記表示部のいずれもが、遊技機を幅方向に二分する中央線よりも右側に設けられるとともに、
前記操作部の方が、前記表示部よりも、右側に設けられている
ことを特徴とする遊技機。
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１パターンの演出を実行するときと、前記第１パターンよりも前記第１結果に分岐し難い第２パターンの演出を実行するときとがあり、
前記第２パターンの演出を実行した場合、所定のタイミングで、前記第２パターンよりも前記第１結果に分岐し易い他のパターンあるいは前記第１パターンに変更するパターン変更を行うことがあることを特徴とする遊技機。
【請求項２】
請求項１に記載の遊技機であって、
前記パターン変更を行った場合は、前記パターン変更を行わずに前記第１パターンの演出を実行した場合よりも、前記第１結果に分岐し易いことを特徴とする遊技機。
【請求項３】
請求項１又は請求項２に記載の遊技機であって、
前記特定演出は、前記有利遊技状態において実行される演出であって、前記第１結果である成功に分岐することで前記有利遊技状態が継続することを示唆し、前記第２結果である失敗に分岐することで前記有利遊技状態が終了することを示唆する演出であることを特徴とする遊技機。
【請求項４】
請求項３に記載の遊技機であって、
前記有利遊技状態は、通常確率状態よりも前記特別遊技を行うと判定され易い高確率状態であることを特徴とする遊技機。
【請求項５】
遊技者に有利な特別遊技を実行可能な遊技機において、
演出を行うことが可能な演出実行手段を備え、
前記演出実行手段は、
前記特別遊技が行われることを示唆する第１結果又は前記特別遊技が行われないことを示唆する第２結果に分岐する特定演出を実行可能であり、
前記特定演出において、第１パターンの演出を実行するときと、前記第１パターンよりも前記第１結果に分岐し難い第２パターンの演出を実行するときとがあり、
前記第２パターンの演出を実行した場合、所定のタイミングで、前記第２パターンよりも前記第１結果に分岐し易い他のパターンあるいは前記第１パターンに変更するパターン変更を行うことがあることを特徴とする遊技機。
【請求項６】
請求項５に記載の遊技機であって、
前記パターン変更を行った場合は、前記パターン変更を行わずに前記第１パターンの演出を実行した場合よりも、前記第１結果に分岐し易いことを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行った後、遊技者に有利な有利遊技状態に制御する場合と、前記有利遊技状態に制御しない場合とがある遊技機において、
演出を行うことが可能な演出実行手段を備え、
前記演出実行手段は、
前記特別遊技後に前記有利遊技状態になることを示唆する第１結果又は前記特別遊技後に前記有利遊技状態にならないことを示唆する第２結果に分岐する特定演出を実行可能であり、
前記特定演出において、第１パターンの演出を実行するときと、前記第１パターンよりも前記第１結果に分岐し難い第２パターンの演出を実行するときとがあり、
前記第２パターンの演出を実行した場合、所定のタイミングで、前記第２パターンよりも前記第１結果に分岐し易い他のパターンあるいは前記第１パターンに変更するパターン変更を行うことがあることを特徴とする遊技機である。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
第１条件の成立により、判定情報を取得する取得手段と、
第２条件の成立により、取得された前記判定情報に基づき遊技者に有利な特別遊技の実行か否かの第１判定を行う第１判定手段と、
前記第１判定手段による前記第１判定の結果が前記特別遊技の実行の場合には、前記特別遊技を実行する特別遊技実行手段と、
前記第２条件が成立する前に、取得された前記判定情報に基づき前記特別遊技の実行か否かの第２判定を行う第２判定手段と、を備え、
前記演出実行手段は、
前記取得手段によって取得された第１の判定情報に基づく前記第１判定の結果が前記特別遊技の実行の場合には、当該特別遊技が実行される際に示唆表示を行うことがあり、
前記示唆表示を行う場合には、前記特別遊技の実行を示唆する通常示唆表示を行うときと、前記第１の判定情報よりも後に取得された第２の判定情報に基づく前記第２判定の結果に基づいて、連続的に前記特別遊技が実行されることを示唆する特別示唆表示を行うときと、があり、
前記特別示唆表示を行った場合には、前記第２の判定情報に基づく前記特別遊技が実行される際に、前記示唆表示を行わないことを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段と、
第１条件の成立により、判定情報を取得する取得手段と、
第２条件の成立により、取得された前記判定情報に基づき遊技者に有利な特別遊技の実行か否かの第１判定を行う第１判定手段と、
前記第１判定手段による前記第１判定の結果が前記特別遊技の実行の場合には、前記特別遊技を実行する特別遊技実行手段と、
前記第２条件が成立する前に、取得された前記判定情報に基づき前記特別遊技の実行か否かの第２判定を行う第２判定手段と、を備え、
前記演出実行手段は、
前記取得手段によって取得された第１の判定情報に基づく前記第１判定の結果が前記特別遊技の実行の場合には、当該特別遊技が実行される際に示唆表示を行うことがあり、
前記示唆表示を行う場合には、前記特別遊技の実行を示唆する通常示唆表示を行うときと、前記第１の判定情報よりも後に取得された第２の判定情報に基づく前記第２判定の結果に基づいて、連続的に前記特別遊技が実行されることを示唆する特別示唆表示を行うときと、があり、
前記特別示唆表示を行った場合には、前記第２の判定情報に基づく前記特別遊技が実行される際に、前記示唆表示を行わないことを特徴とする。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
第１条件の成立により、判定情報を取得する取得手段と、
第２条件の成立により、取得された前記判定情報に基づき遊技者に有利な特別遊技の実行か否かの第１判定を行う第１判定手段と、
前記第１判定手段による前記第１判定の結果が前記特別遊技の実行の場合には、前記特別遊技を実行する特別遊技実行手段と、
前記第２条件が成立する前に、取得された前記判定情報に基づき前記特別遊技の実行か否かの第２判定を行う第２判定手段と、を備え、
前記特別遊技には、遊技内容が互いに異なる複数種類の特別遊技があり、
前記演出実行手段は、
前記取得手段によって取得された第１の判定情報に基づく前記第１判定が前記特別遊技の実行の場合には、その特別遊技の実行中に示唆表示を行うときがあり、
前記示唆表示を行う場合には、前記遊技内容を示唆する通常示唆表示を行うときと、前記第１の判定情報よりも後に取得された第２の判定情報に基づく前記第２判定の結果に基づいて、連続的に前記特別遊技が実行されることを示唆する特別示唆表示を行うときと、があることを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段と、
第１条件の成立により、判定情報を取得する取得手段と、
第２条件の成立により、取得された前記判定情報に基づき遊技者に有利な特別遊技の実行か否かの第１判定を行う第１判定手段と、
前記第１判定手段による前記第１判定の結果が前記特別遊技の実行の場合には、前記特別遊技を実行する特別遊技実行手段と、
前記第２条件が成立する前に、取得された前記判定情報に基づき前記特別遊技の実行か否かの第２判定を行う第２判定手段と、を備え、
前記特別遊技には、遊技内容が互いに異なる複数種類の特別遊技があり、
前記演出実行手段は、
前記取得手段によって取得された第１の判定情報に基づく前記第１判定が前記特別遊技の実行の場合には、その特別遊技の実行中に示唆表示を行うときがあり、
前記示唆表示を行う場合には、前記遊技内容を示唆する通常示唆表示を行うときと、前記第１の判定情報よりも後に取得された第２の判定情報に基づく前記第２判定の結果に基づいて、連続的に前記特別遊技が実行されることを示唆する特別示唆表示を行うときと、があることを特徴とする。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
遊技者に有利な特別遊技の実行か否かの判定を行う判定手段と、
前記判定手段による前記判定の結果が前記特別遊技の実行の場合には、前記特別遊技を実行する特別遊技実行手段と、を備え、
前記特別遊技には、遊技利益が互いに異なる複数種類の特別遊技があり、
前記演出実行手段は、
前記判定の結果が前記特別遊技の実行の場合には、当該特別遊技が実行される際に前記遊技利益を示唆する利益表示を行うときがあり、
特定の条件下における前記判定の結果が前記特別遊技の実行の場合には、当該特別遊技の実行開始後に前記利益表示を行うときがあり、
前記特定の条件下ではないときにおける前記判定の結果が前記特別遊技の実行の場合には、当該特別遊技が実行される前に前記利益表示を行うときがあることを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段と、
遊技者に有利な特別遊技の実行か否かの判定を行う判定手段と、
前記判定手段による前記判定の結果が前記特別遊技の実行の場合には、前記特別遊技を実行する特別遊技実行手段と、を備え、
前記特別遊技には、遊技利益が互いに異なる複数種類の特別遊技があり、
前記演出実行手段は、
前記判定の結果が前記特別遊技の実行の場合には、当該特別遊技が実行される際に前記遊技利益を示唆する利益表示を行うときがあり、
特定の条件下における前記判定の結果が前記特別遊技の実行の場合には、当該特別遊技の実行開始後に前記利益表示を行うときがあり、
前記特定の条件下ではないときにおける前記判定の結果が前記特別遊技の実行の場合には、当該特別遊技が実行される前に前記利益表示を行うときがあることを特徴とする。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段と、
第１条件の成立により、判定情報を取得する取得手段と、
第２条件の成立により、取得された前記判定情報に基づき遊技者に有利な特別遊技の実行か否かの判定を行う判定手段と、
前記判定手段による前記判定の結果が前記特別遊技の実行の場合には、前記特別遊技を実行する特別遊技実行手段と、を備え、
前記演出実行手段は、
前記判定の結果に基づいて、所定の演出図柄を変動させてから前記判定の結果を示唆する態様で停止させる変動演出を実行可能であり、
前記取得手段によって取得された第１の判定情報に基づく前記判定の結果が前記特別遊技の実行の場合には、当該前記判定の結果に基づく前記変動演出中に、前記特別遊技が実行されることを示唆する態様で前記演出図柄を仮停止させるときがあり、
前記第１の判定情報よりも後に取得された第２の判定情報に基づく前記判定の結果が前記特別遊技の実行の場合には、当該前記判定の結果に基づく前記変動演出中に、前記演出図柄を仮停止させないときがあることを特徴とする遊技機。
【手続補正２】
【補正対象書類名】明細書
【補正対象項目名】０００６
【補正方法】変更
【補正の内容】
【０００６】
本発明の遊技機は、
所定の演出を実行可能な演出実行手段と、
第１条件の成立により、判定情報を取得する取得手段と、
第２条件の成立により、取得された前記判定情報に基づき遊技者に有利な特別遊技の実行か否かの判定を行う判定手段と、
前記判定手段による前記判定の結果が前記特別遊技の実行の場合には、前記特別遊技を実行する特別遊技実行手段と、を備え、
前記演出実行手段は、
前記判定の結果に基づいて、所定の演出図柄を変動させてから前記判定の結果を示唆する態様で停止させる変動演出を実行可能であり、
前記取得手段によって取得された第１の判定情報に基づく前記判定の結果が前記特別遊技の実行の場合には、当該前記判定の結果に基づく前記変動演出中に、前記特別遊技が実行されることを示唆する態様で前記演出図柄を仮停止させるときがあり、
前記第１の判定情報よりも後に取得された第２の判定情報に基づく前記判定の結果が前記特別遊技の実行の場合には、当該前記判定の結果に基づく前記変動演出中に、前記演出図柄を仮停止させないときがあることを特徴とする。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定または確認するために操作される設定操作手段と、
を備える遊技機であって、
前記設定操作手段は、少なくとも第１の設定操作手段と第２の設定操作手段とで構成され、
前記遊技制御手段は、
遊技に関連する情報を記憶可能な第１の記憶領域と、前記第１の記憶領域とは異なる第２の記憶領域とを少なくとも有する記憶手段を備え、
前記第１の記憶領域は、前記設定値を格納する領域であり、
前記第２の記憶領域は、遊技によって使用される各種パラメータを格納する領域であって、
前記遊技制御手段は、
前記設定値が正常な値でないと判定した場合に、前記第１の記憶領域及び前記第２の記憶領域を初期化し、
前記設定操作手段のうち前記第１の設定操作手段が操作されておらず、かつ前記第２の設定操作手段が操作されていると判定した場合に、前記第１の記憶領域を初期化せず、前記第２の記憶領域を初期化することを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定または確認するために操作される設定操作手段と、を備える遊技機であって、前記設定操作手段は、少なくとも第１の設定操作手段と第２の設定操作手段とで構成され、前記遊技制御手段は、遊技に関連する情報を記憶可能な第１の記憶領域と、前記第１の記憶領域とは異なる第２の記憶領域とを少なくとも有する記憶手段を備え、前記第１の記憶領域は、前記設定値を格納する領域であり、前記第２の記憶領域は、遊技によって使用される各種パラメータを格納する領域であって、前記遊技制御手段は、前記設定値が正常な値でないと判定した場合に、前記第１の記憶領域及び前記第２の記憶領域を初期化し、前記設定操作手段のうち前記第１の設定操作手段が操作されておらず、かつ前記第２の設定操作手段が操作されていると判定した場合に、前記第１の記憶領域を初期化せず、前記第２の記憶領域を初期化することを特徴とする遊技機（例えば、段落１１５３〜段落２００４、図１２９〜図２１２などを参照）。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定または確認するために操作される設定操作手段と、
を備える遊技機であって、
前記遊技制御手段は、
遊技に関連する情報を電源遮断中でも保持可能な記憶手段を備え、
前記遊技機への電源投入時に実行される電源投入時処理と、所定の周期毎に実行される定期処理とを実行し、
前記設定操作手段が操作された状態で前記遊技機への電源が投入された場合に、前記電源投入時処理において、前記設定操作手段の操作状態に応じて、第１状態または前記第１状態とは異なる第２状態に対応する処理を実行し、
前記記憶手段は、少なくとも前記電源投入時処理において、前記設定操作手段の操作状態に応じて、前記第１状態または前記第２状態に対応する処理で設定される値が記憶される設定状態管理領域を含むことを特徴とする遊技機。
【請求項２】
請求項１の遊技機であって、
前記第１状態は、前記設定値を変更可能な設定変更状態であり、
前記第２状態は、前記設定値を変更不能な設定確認状態である
ことを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定または確認するために操作される設定操作手段と、を備える遊技機であって、前記遊技制御手段は、遊技に関連する情報を電源遮断中でも保持可能な記憶手段を備え、前記遊技機への電源投入時に実行される電源投入時処理と、所定の周期毎に実行される定期処理とを実行し、前記設定操作手段が操作された状態で前記遊技機への電源が投入された場合に、前記電源投入時処理において、前記設定操作手段の操作状態に応じて、第１状態または前記第１状態とは異なる第２状態に対応する処理を実行し、前記記憶手段は、少なくとも前記電源投入時処理において、前記設定操作手段の操作状態に応じて、前記第１状態または前記第２状態に対応する処理で設定される値が記憶される設定状態管理領域を含むことを特徴とする遊技機（例えば、段落１１５３〜段落２００４、図１２９〜図２１２などを参照）。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
所定条件が成立したことに伴い、遊技者に有益となる特別遊技の抽選を行う遊技制御手段と、
前記遊技制御手段が行う制御に関する設定値を設定または確認するために操作される設定操作手段と、
を備える遊技機であって、
前記設定操作手段は、少なくとも第１の設定操作手段と第２の設定操作手段とで構成され、
前記遊技制御手段は、
遊技に関連する情報を記憶可能な記憶手段を備え、
前記遊技機への電源投入時に実行される電源投入時処理において、前記設定操作手段の出力信号を前記記憶手段のうちの特定の記憶手段に記憶保持し、
前記電源投入時処理において、前記設定操作手段が操作されているか否かを判定するときに、前記設定操作手段の出力信号を読み込むことなく、前記特定の記憶手段に記憶保持した情報にもとづいて判定し、
前記第２の設定操作手段は、前記電源投入時処理において、前記第１の設定操作手段が操作されておらず、かつ前記第２の設定操作手段のみが操作されている場合に、前記記憶手段を初期化するための手段であって、
前記電源投入時処理において、前記第１の設定操作手段が操作されておらず、かつ前記第２の設定操作手段のみが操作されている場合に、前記記憶手段を初期化するときには、前記特定の記憶手段を初期化しないことを特徴とする遊技機。
【手続補正２】
【補正対象書類名】明細書
【補正対象項目名】０００６
【補正方法】変更
【補正の内容】
【０００６】
本発明は、所定条件が成立したことに伴い、遊技者に有益となる特別遊技の抽選を行う遊技制御手段と、前記遊技制御手段が行う制御に関する設定値を設定または確認するために操作される設定操作手段と、を備える遊技機であって、前記設定操作手段は、少なくとも第１の設定操作手段と第２の設定操作手段とで構成され、前記遊技制御手段は、遊技に関連する情報を記憶可能な記憶手段を備え、前記遊技機への電源投入時に実行される電源投入時処理において、前記設定操作手段の出力信号を前記記憶手段のうちの特定の記憶手段に記憶保持し、前記電源投入時処理において、前記設定操作手段が操作されているか否かを判定するときに、前記設定操作手段の出力信号を読み込むことなく、前記特定の記憶手段に記憶保持した情報にもとづいて判定し、前記第２の設定操作手段は、前記電源投入時処理において、前記第１の設定操作手段が操作されておらず、かつ前記第２の設定操作手段のみが操作されている場合に、前記記憶手段を初期化するための手段であって、前記電源投入時処理において、前記第１の設定操作手段が操作されておらず、かつ前記第２の設定操作手段のみが操作されている場合に、前記記憶手段を初期化するときには、前記特定の記憶手段を初期化しないことを特徴とする遊技機（例えば、段落１１５３〜段落２００４、図１２９〜図２１２などを参照）。